(57)【要約】【課題】錠機構の鍵穴口金を覆う覆い板を溶接加工なしに装備し、また取付ねじを分離せずに鍵穴口金に対して覆い板を回動できるエレベーターかごの救出口扉装置を得る。【解決手段】鍵穴口金７を覆う覆い板１３を鍵穴口金７に枢着する取付ねじ１６を、溶接加工を伴うことなく装備して溶接箇所の仕上げ加工を省き製作費を節減する。また、覆い板１３を鍵穴口金７に締結した状態で、嵌合子１２が嵌合穴１４に嵌合するので、覆い板１３を鍵穴口金７に対して固定的に保持でき、覆い板１３が無用に回動する不具合を防止する。さらに、取付ねじ１６を緩めたときに鍵穴口金７から取付ねじ１６が分離せず取付ねじ１６の紛失を防止する。【選択図】        図３
2004359372.tif 000002
【特許請求の範囲】
【請求項１】
かごの側面に形成された救出口を常時は閉塞し装備された錠によって施錠される扉と、この扉にねじによって締結されて表面に固定された上記錠の鍵穴口金と、この鍵穴口金の表面を覆って配置された覆い板と、この覆い板の縁部寄りに配置されて上記覆い板に空隙を形成して挿通され、上記鍵穴口金の縁部にねじ込まれて挿通端が上記鍵穴口金の裏面側に離脱不能に保持され上記鍵穴口金に上記覆い板を枢着し、かつ常時において上記鍵穴口金に上記覆い板を締結する取付ねじとを備えたエレベーターかごの救出口扉装置。
【請求項２】
かごの側面に形成された救出口を常時は閉塞し装備された錠によって施錠される扉と、この扉のねじによって締結されて表面に固定された上記錠の鍵穴口金と、この鍵穴口金の表面を覆って配置された覆い板と、上記鍵穴口金の表面における縁部寄りに配置されて上記表面から突出して設けられて常時において上記覆い板の裏面に設けられた嵌合穴に嵌合する嵌合子と、上記覆い板の縁部寄りに配置されて上記覆い板に空隙を形成して挿通されて、上記鍵穴口金の上記嵌合子に対向した縁部にねじ込まれて挿通端が上記鍵穴口金の裏面側に離脱不能に保持され上記鍵穴口金に上記覆い板を枢着し、かつ常時において上記鍵穴口金に上記覆い板を締結する取付ねじとを備えたエレベーターかごの救出口扉装置。
【発明の詳細な説明】
【０００１】
【発明の属する技術分野】
この発明は、かごの側面に設けられて異常停止したかごの乗客を救出する作業に使用されるエレベーターかごの救出口扉装置に関する。
【０００２】
【従来の技術】
従来のエレベーターかごの救出口扉装置は、かごの側面に形成された救出口を常時は閉塞する扉が設けられ、扉を施錠する錠の鍵穴口金が扉の表面に配置されてねじによって扉に締結されて固定される。また、鍵穴口金の表面を覆って覆い板が配置されて、鍵穴口金に裏面から空隙を形成して挿通されて覆い板にねじ込まれた枢着ねじによって、鍵穴口金に覆い板が枢着される。
【０００３】
そして、覆い板に対する枢着ねじの緩みを防止するために、枢着ねじの先端が覆い板にそれの表面側から溶接されて溶接箇所が美観を呈するように仕上げ加工される。また、覆い板の枢着ねじに対向した縁部に取付ねじが配置され、表面から覆い板に空隙を形成して挿通されて、鍵穴口金にねじ込まれ常時において鍵穴口金に重合した覆い板が鍵穴口金に締結される。
【０００４】
従来のエレベーターかごの救出口扉装置は上記のように構成され、常時はかごの救出口が扉によって閉塞されて扉の錠が施錠される。そして、覆い板が枢着ねじにより鍵穴口金に枢着されて鍵穴口金に重合した位置に配置され、また常時は取付ねじによって覆い板が鍵穴口金に締結されて固定される。そして、救出口を開く場合にはドライバーによって取付ねじが回動されて取り外され、枢着ねじを中心として覆い板が回動されると鍵穴口金の鍵穴が露出する。この状態で鍵穴に鍵が挿入されて錠が解錠され扉を開くように構成されている。（例えば、特許文献１参照）。
【０００５】
【特許文献１】
特開平６−１１５８４２号公報（第２頁、図１）
【０００６】
【発明が解決しようとする課題】
従来のエレベーターかごの救出口扉装置では、覆い板を鍵穴口金に枢着する枢着ねじの先端が覆い板の表面側から溶接されるため、その溶接における変色箇所が美観を呈するように仕上げ加工される。しかし、この仕上げ加工に煩雑な手数が掛かって製作費が嵩むという問題点があった。また、鍵穴口金の鍵穴を露出する場合に覆い板を回動するときに取付ねじが覆い板から分離するので、分離した取付ねじを紛失する恐れがあるという問題点があった。
【０００７】
この発明は、かかる問題点を解消するためになされたものであり、錠機構の鍵穴に設けた覆い板を溶接加工することなく装着し、また覆い板の取付ねじを分離せずに覆い板を回動できるエレベーターかごの救出口扉装置を得ることを目的とする。
【０００８】
【課題を解決するための手段】
この発明に係るエレベーターかごの救出口扉装置においては、かごの側面に形成された救出口を常時は閉塞し装備された錠によって施錠される扉と、この扉にねじによって締結されて表面に固定された錠の鍵穴口金と、この鍵穴口金の表面を覆って配置された覆い板と、覆い板の縁部寄りに配置されて覆い板に空隙を形成して挿通され、鍵穴口金の縁部にねじ込まれて挿通端が鍵穴口金の裏面側に離脱不能に保持されて鍵穴口金に覆い板を枢着し、かつ常時において鍵穴口金に覆い板を締結する取付ねじとが設けられる。
【０００９】
【発明の実施の形態】
実施の形態１．
図１〜図５は、この発明の実施の形態の一例を示す図で、図１はエレベーターかごの透視図、図２は図１の常時における扉の要部を示す正面図、図３は図２のＡ−Ａ線断面図、図４は図２における覆い板を回動した状態を示す図２相当図、図５は図４のＢ−Ｂ線断面図である。図において、エレベーターかご１が床２、床２の縁部に立設された壁３及び壁３の上に設けられた天井４によって構成される。
【００１０】
そして、壁３の一部を構成し幅方向の一側が隣設した壁３に枢着された扉５が設けられて、図１に鎖線で示すように扉５が回動されることによって救出口６が開放される。また、鍵穴口金７が座板８及び座板８の裏面から突設されたねじ部９によって構成されて、ねじ部９が扉５の貫通孔に挿通され扉５の裏面から取付ナット１０がねじ込まれ扉５に鍵穴口金７が装着される。
【００１１】
また、座板８及びねじ部９を貫通して鍵穴口金７に鍵孔１１が設けられて、図示が省略してあるが、鍵孔１１に要時に挿通される鍵によって錠機構が回動されて救出口６を閉塞した扉５が施錠される。そして、鍵穴口金７の表面における縁部寄りに嵌合子１２が設けられて鍵穴口金７の表面から突出して配置される。また、鍵穴口金７の表面を覆って覆い板１３が配置され、覆い板１３の裏面に嵌合子１２が空隙を形成して嵌合する嵌合穴１４が設けられる。
【００１２】
そして、鍵穴口金７の座板８裏面に凹所１５が設けられて嵌合子１２の配置位置と対向した縁部に配置され、皿ねじからなる取付ねじ１６が覆い板１３の表面から空隙を形成して覆い板１３に挿通されて、鍵穴口金７の座板８における凹所１５に対応した位置にねじ込まれる。また、取付ねじ１６の先端を押しつぶして取付ねじ１６のねじ孔にねじ込まれない抜け止め部１７が形成される。さらに、鍵穴口金７の座板８表面に鍵の操作方向標識１８が設けられる。
【００１３】
上記のように構成されたエレベーターかごの救出口扉装置において、常時は救出口６が扉５によって閉塞されて錠機構によって扉５が施錠される。そして、鍵穴口金７の表面に覆い板１３が重合して配置されて図２及び図３に示す状態となる。この状態では、嵌合子１２が嵌合穴１４に嵌合し、また取付ねじ１６が鍵穴口金７にねじ込まれて、覆い板１３が鍵穴口金７に対して所定位置に固定的に保持される。
【００１４】
そして、救出作業時に救出口６を開く場合であってかご１内から扉５を開くときには、取付ねじ１６を緩めて嵌合子１２と嵌合穴１４との嵌合が外れる位置に覆い板１３を鍵穴口金７から離し、次いで取付ねじ１６を中心に図４及び図５に示すように覆い板１３を回動する。この状態で、鍵穴口金７の鍵孔１１が露出し鍵孔１１に鍵が挿通されて錠機構が回動され、扉５が解錠されて開かれて救出口６が開放される。
【００１５】
そして以上説明した構成において、鍵穴口金７に設けられた嵌合子１２及び覆い板１３を鍵穴口金７に枢着する取付ねじ１６が、覆い板１３、鍵穴口金７に溶接作業を行うことなく装備される。このため、溶接による変色箇所を美観を呈するように仕上げ加工する必要がなく、この仕上げ加工を省くことができ製作費を節減することができる。
【００１６】
また、覆い板１３が鍵穴口金７に重合して配置された状態で、嵌合子１２が嵌合穴１４に嵌合すると共に取付ねじ１６が鍵穴口金７にねじ込まれるので、覆い板１３が鍵穴口金７に対して所定位置に固定的に保持されて無用に回動する不具合を防止することができる。
【００１７】
さらに、取付ねじ１６を緩めた状態で鍵穴口金７から取付ねじ１６が分離することがなく、取付ねじ１６が分離して紛失する恐れを解消することができる。また、取付ねじ１６によって鍵穴口金７に対して覆い板１３を枢着する機能及び締結する機能が達成することができ、部品数が減少して製作費を節減することができる。
【００１８】
【発明の効果】
この発明は以上説明したように、かごの側面に形成された救出口を常時は閉塞し装備された錠によって施錠される扉と、この扉にねじによって締結されて表面に固定された錠の鍵穴口金と、この鍵穴口金の表面を覆って配置された覆い板と、覆い板の縁部寄りに配置されて覆い板に空隙を形成して挿通され、鍵穴口金の縁部にねじ込まれて挿通端が鍵穴口金の裏面側に離脱不能に保持され鍵穴口金に覆い板を枢着し、かつ常時において鍵穴口金に覆い板を締結する取付ねじとを設けたものである。
【００１９】
これによって、鍵穴口金に設けられた嵌合子及び覆い板を鍵穴口金に枢着する取付ねじが、覆い板、鍵穴口金に溶接作業を行うことなく装備される。このため、溶接による変色箇所を美観を呈するように仕上げ加工する必要がなく、この仕上げ加工を省くことができ製作費を節減する効果がある。また、取付ねじを緩めた状態で鍵穴口金から取付ねじが分離することがなく、取付ねじが分離して紛失する恐れを解消する効果がある。
【図面の簡単な説明】
【図１】この発明の実施の形態１を示す図であり、エレベーターかごの透視図。
【図２】図１の常時における扉の要部を示す正面図。
【図３】図２のＡ−Ａ線断面図。
【図４】図２における覆い板を回動した状態を示す図２相当図。
【図５】図４のＢ−Ｂ線断面図。
【符号の説明】
１  かご、５  扉、６  救出口、７  鍵穴口金、１２  嵌合子、１３  覆い板、１４  嵌合穴、１６  取付ねじ。
【図１】
2004359372.tif 000003
【図２】
2004359372.tif 000004
【図３】
2004359372.tif 000005
【図４】
2004359372.tif 000006
【図５】
2004359372.tif 000007